(57)【要約】【課題】  室内の結露状態等に応じて、自動的に動作を停止させることが可能な換気装置を提供すること。【解決手段】  本発明に係る換気装置１は、室内２の空気を吸入して屋外へと排気するファン４３と、ファン４３を駆動させるファンモータ４４と、ファンモータ４４の駆動制御を行う制御手段５０と、室内２の湿度を検出する湿度検出手段３０と、湿度検出手段３０により検出された湿度を経時的に記録する記録手段５１とを有している。制御手段５０は、記録手段５１に記録される経時的な湿度情報より基準湿度を求め、基準湿度を基準とした湿度を湿度検出手段３０により検出して、ファンモータ４４の駆動制御を行う。【選択図】  図６
2008045757.tif 000002
【特許請求の範囲】
【請求項１】
室内の空気を吸入して屋外へ排気するファンと、
該ファンを駆動させるファンモータと、
該ファンモータの駆動制御を行う制御手段と、
前記室内の湿度を検出する湿度検出手段と、
前記湿度検出手段により検出された湿度を経時的に記録する記録手段とを有し、
前記制御手段は、前記記録手段に記録される経時的な湿度情報より基準湿度を求め、該基準湿度を基準とした湿度を前記湿度検出手段により検出して、前記ファンモータの駆動制御を行うこと
を特徴とする換気装置。
【請求項２】
室内の空気を吸入して屋外へ排気するファンと、
該ファンを駆動させるファンモータと、
該ファンモータの駆動制御を行う制御手段と、
前記室内の湿度を検出する湿度検出手段と、
前記湿度検出手段により検出された湿度を経時的に記録する記録手段とを有し、
前記制御手段は、前記室内が所定の使用状態となったときに当該使用状態となる所定時間前の湿度を基準湿度として前記記録手段より求め、当該基準湿度を基準とした湿度を前記湿度検出手段により検出して、前記ファンモータの駆動制御を行うこと
を特徴とする換気装置。
【請求項３】
前記室内の温度を検出する温度検出手段を有し、
前記制御手段は、前記湿度検出手段により検出される湿度と前記温度検出手段により検出される温度とに基づいて前記室内の使用状態を判断すること
を特徴とする請求項２に記載の換気装置。
【発明の詳細な説明】
【技術分野】
【０００１】
本発明は、室内の空気を吸入して屋外へと排気する回転ファンと、回転ファンを回転駆動させるファンモータと、ファンモータの駆動制御を行う制御手段とを有する換気装置に関する。
【背景技術】
【０００２】
一般的な建築物には、建物内の空調を行うために多くの換気装置が設置されている。特に近年では、居室を有する建物に２４時間換気システムを設置することが義務付けられたことから、浴室空調装置等を室内換気用の換気装置として利用することが多くなっている。
【０００３】
浴室空調装置には、一般的にシロッコファン等の多翼ファンが用いられている。シロッコファンは、周縁部に複数の翼が配設された円盤状のファンを回転させることによって、回転中心から周方向へと空気を吸入・排出させる構造となっている。シロッコファンを使用した送風装置は、その構造から設備の厚み（高さ）を低くすることができるため、装置本体をコンパクトに設計することが容易である（例えば、特許文献１参照）。
【０００４】
今日の浴室空調装置には、一般的に、入浴後に浴室の換気を行う換気モードと、洗濯された衣類等を浴室内に吊して衣類の乾燥を行う乾燥モードとが設けられている。このような換気モードおよび乾燥モードを用いることによって浴室の湿気・結露を排除することが可能である。
【０００５】
ユーザが換気モードおよび乾燥モードによる運転を行う場合、通常は浴室空調装置に設けられるタイマを用いて運転時間の設定を行い、一定時間経過後に、換気モードおよび乾燥モードによる運転を終了させる方法を選択する。タイマ設定を利用して換気モードおよび乾燥モードの運転停止を行うことによって、必要以上に浴室空調装置が運転し続けることを防止することができ、節電効果を高めることができるという利点がある。
【特許文献１】特開２００４−３４０４０７号公報（第４−６頁、第１図）
【発明の開示】
【発明が解決しようとする課題】
【０００６】
しかしながら、タイマの設定時間が短すぎて、衣類が十分に乾く前に乾燥モードによる運転が終了したり、浴室内の換気が十分に行われる前に換気モードによる運転が終了してしまうおそれがある。特に、衣類の乾燥や浴室の換気に要する時間は、季節（春夏秋冬）や時間帯（朝昼夜）によって異なるため、タイマの最適な設定時間も常に一定ではなく、その状況に応じて設定時間を変更することが好ましい。
【０００７】
しかし、一般のユーザがタイマ設定時間を季節等に応じて変更することは容易ではないため、通常長いタイマ時間を設定することが多い。このように、タイマの設定時間を長くする場合には、衣類が十分に乾いた後も浴室空調装置が運転し続けることとなり、また同様に、浴室内の換気が十分に行われた後にも浴室空調装置が運転し続けることとなるため、タイマ設定による節電効果を十分に得ることができないおそれがあった。
【０００８】
本発明は、上記問題に鑑みてなされたものであり、室内の結露・湿気状態等に応じて、自動的に動作を停止させることが可能な換気装置を提供することを課題とする。
【課題を解決するための手段】
【０００９】
上記課題を解決するために、本発明に係る換気装置は、室内の空気を吸入して屋外へ排気するファンと、該ファンを駆動させるファンモータと、該ファンモータの駆動制御を行う制御手段と、前記室内の湿度を検出する湿度検出手段と、前記湿度検出手段により検出された湿度を経時的に記録する記録手段とを有し、前記制御手段は、前記記録手段に記録される経時的な湿度情報より基準湿度を求め、該基準湿度を基準とした湿度を前記湿度検出手段により検出して、前記ファンモータの駆動制御を行うことを特徴とする。
【００１０】
また、本発明に係る換気装置は、室内の空気を吸入して屋外へ排気するファンと、該ファンを駆動させるファンモータと、該ファンモータの駆動制御を行う制御手段と、前記室内の湿度を検出する湿度検出手段と、前記湿度検出手段により検出された湿度を経時的に記録する記録手段とを有し、前記制御手段は、前記室内が所定の使用状態となったときに当該使用状態となる所定時間前の湿度を基準湿度として前記記録手段より求め、当該基準湿度を基準とした湿度を前記湿度検出手段により検出して、前記ファンモータの駆動制御を行うことを特徴とする。
【００１１】
さらに、前記室内の温度を検出する温度検出手段を有し、前記制御手段は、前記湿度検出手段により検出される湿度と前記温度検出手段により検出される温度とに基づいて前記室内の使用状態を判断することを特徴とするものであってもよい。
【発明の効果】
【００１２】
本発明に係る換気装置によれば、前記制御手段が、湿度に基づいてファンモータの駆動制御を行うので、例えば絶対湿度を用いることにより室内の水蒸気量を定量的に検出することができ、相対湿度のように室内の温度に左右されることなく室内の結露（湿気）状態を判断することができる。このため、制御部は、室内の結露（湿気）状態を正確に判断した上で送風装置の運転・停止制御を行うことが可能となり、室内の結露（湿気）がまだ残っている状態でファンモータの駆動が終了したり、室内の結露（湿気）が既に除去されているのに引き続きファンモータが駆動され続けてしまうことを防止することができる。
【００１３】
また、制御手段が、室内が所定の使用状態となったときの所定時間前の湿度を基準湿度とし、この基準湿度を基準として室内の湿度状態を判断することによってファンモータの駆動制御を行うため、室内が所定の使用状態（例えば、浴室において入浴が行われた場合、洗濯物が干された場合）となる前（入浴等により浴室が結露等する前等）の室内の状態に基づいてファンモータの駆動制御を行うことができる。
【００１４】
一方で、制御手段が、記録手段に記録される経時的な湿度情報より基準湿度を求め、この基準湿度を基準として室内の湿度状態を判断することによってファンモータの駆動制御を行う場合には、結露等していない室内の状態に基づいてファンモータの駆動制御を行うことができる。
【００１５】
また、制御手段が、湿度検出手段により検出される湿度と温度検出手段により検出される温度とに基づいて室内の使用状態を判断する場合には、例えば、上昇湿度と上昇温度とにより浴室等において入浴が開始されたことを判断することができ、同様に洗濯物等が室内に干されたことを判断することができるので、室内の結露（湿気）が上昇し得る使用状態を精度良く検出することが可能となる。
【発明を実施するための最良の形態】
【００１６】
以下、本発明に係る換気装置を浴室空調装置として用いた場合を、図面を用いて詳細に説明する。
【００１７】
図１は、浴室空調装置１が浴室２に設置された状態を示した図である。浴室空調装置１は、本体ケース３とフロントパネル４とを有している。
【００１８】
本体ケース３は、図２に示すように、底面に開口部が形成された箱状体であって、金属等の不燃性の素材によって形成されている。この箱状体部分の内部には、次述する循環空調ユニットと換気空調ユニットとが収納されている。さらに、本体ケース３の側面には、排気ダクト５が接続される排気ダクト接続部６と、吸気ダクト７が接続される吸気ダクト接続部８とが設けられている。
【００１９】
浴室空調装置１は、浴室２の天井裏に設置されている。浴室２の天井を構成する天井パネル２ａには、本体ケース３に対応する開口が形成されており、浴室空調装置１は、この開口より本体ケース３の下部が露出するようにして、天井裏に固定される。
【００２０】
フロントパネル４は、天井パネル２ａの開口より露出した本体ケース３の下部を浴室側より覆うようにして設置される。フロントパネル４には、浴室２内の空気を吸い込むためのパネル吸込口４ａと、パネル吸込口４ａより吸い込まれた空気を浴室２に吹き出すためのパネル吹出口４ｂとが設けられている。
【００２１】
浴室空調装置１の吸気ダクト接続部８に接続される吸気ダクト７は、図１に示すように、洗面所（脱衣所）１０等の浴室２以外の天井等に設けられた吸気口１１に接続されている。また、洗面所１０には、浴室空調装置１の操作を行うための操作パネル１３が設けられている。
【００２２】
また、浴室空調装置１の排気ダクト接続部６に接続される排気ダクト５は、建物の外壁に取り付ける排気グリル１２に接続されている。浴室２や洗面所１０等において吸入された空気は、排気ダクト接続部６・排気ダクト５を介して排気グリル１２から屋外へと排気される。
【００２３】
一方で、浴室２には、洗面所１０と浴室２との出入りを行うための浴室ドア１４が設けられおり、この浴室ドア１４には、洗面所１０の空気を取り入れるためのガラリ１５が設けられている。このため、例えば、浴室空調装置１に吸気ダクト７が接続されていない場合であっても、浴室空調装置１で浴室２内の空気を吸入することによって、ガラリ１５を介して洗面所１０等の他室の空気を吸入し、排気ダクト接続部６・排気ダクト５を介して屋外に空気を排気することが可能である。
【００２４】
図３は、浴室空調装置１の底面図を示しており、図４は、図３のＡ−Ａ断面を矢印方向から示した側方断面図、図５は、図３のＢ−Ｂ断面を矢印方向から示した側方断面図を示している。
【００２５】
本体ケース３には、図４、図５に示すように、循環空調ユニット２０と、換気空調ユニット４０とが設けられている。
【００２６】
循環空調ユニット２０は、本体ケース３の下部に設置されており、図３に示すように、循環ファン部２１と、換気用通路部２２とを有している。
【００２７】
換気用通路部２２は、循環ファン部２１に隣接して設けられる筒状部材であり、上面と底面とが開放された状態となっている。この換気用通路部２２の下面開口２２ａは、フロントパネル４のパネル吸込口４ａを介して浴室２を臨み、上面開口２２ｂは、換気空調ユニット４０の換気吸込口４６を臨んでいる。
【００２８】
循環ファン部２１は、循環シロッコファン２３と、循環ファンモータ２４と、循環ファンケース２５と、ヒータ部２６と、湿度・温度検出センサ（湿度検出手段、温度検出手段）３０と、イオン発生装置３１とを有している。循環シロッコファン２３は、主板２３ａの周縁部に多数の翼２３ｂが設けられる多翼ファンであり、この循環シロッコファン２３の回転によって、多数の翼２３ｂ部分を介して主板２３ａ正面前方より循環ファン部２１の内部へと空気を導くことが可能となっている。
【００２９】
循環ファンモータ２４は、循環シロッコファン２３を回転駆動させるためのモータであり、図４、図５に示すように、循環シロッコファン２３の上方に設置されており、この循環ファンモータ２４より真下方向へと垂設される回転軸を回転させることによって、この回転軸に固定される循環シロッコファン２３の回転が行われる。
【００３０】
循環ファンケース２５は、循環シロッコファン２３を収納するケースであって、循環シロッコファン２３により吸い込まれた空気を浴室２へと循環させるための案内風路を形成する役割を有している。循環ファンケース２５の底面であって循環シロッコファン２３の主板２３ａを臨む位置には、図４、図５に示すように、浴室内の空気を吸入するための循環吸込口２７が、循環シロッコファン２３に対応する円形状に形成されている。さらに、循環ファンケース２５の底面端部には、循環シロッコファン２３により吸入された空気を浴室へと吹き出すための循環吹出口２８が形成されている。
【００３１】
ヒータ部２６は、循環ファンケース２５の内部通路（案内風路）であって、循環吹出口２８近傍位置に設けられている。ヒータ部２６にはＰＴＣヒータが用いられており、後述する制御部の制御に応じてＰＴＣヒータのＯＮ／ＯＦＦが行われる。
【００３２】
湿度・温度検出センサ３０は、図５に示すように、循環吸込口２７の近傍位置に設けられている。湿度・温度検出センサ３０は、所定間隔毎、例えば１分毎に浴室２内の温度と湿度とを検出しており、検出された温度、相対湿度およびその絶対湿度は、後述する回路基板部の記録部に記録される。
【００３３】
イオン発生装置３１は、循環ファンケース２５の内部通路であって、湿度・温度検出センサ３０の近傍位置に設置されている。イオン発生装置３１は、正イオンと負イオンとを放出することができ、この正・負イオンを循環ファン部２１より浴室２へと吹き出る空気に含ませることによって、浴室２内のカビ等の発生を抑制することができる。
【００３４】
具体的に、イオン発生装置３１では、誘電体を介して対向させた一対の電極間に対して、家庭用交流電源などの交流電圧を昇圧して印加することによって、コロナ放電を発生させて空気中の酸素ないしは水分を電離させる。この電離の際にエネルギーを受けて空気中の酸素や水分がイオン化するため、Ｈ+（Ｈ2Ｏ）m（ｍは任意の自然数）と、Ｏ2-（Ｈ2Ｏ）n（ｎは任意の自然数）を主体とするイオンが放出される。
【００３５】
イオンＨ+（Ｈ2Ｏ）mおよびＯ2-（Ｈ2Ｏ）nは、浮遊菌の表面に付着することで化学反応を起こし、活性種であるＨ2Ｏ2又は・ＯＨを生成する。ここで、・ＯＨは活性種の一種であり、ラジカルのＯＨを示している。Ｈ2Ｏ2又は・ＯＨは、極めて強力な活性を示すため、この活性種によって空気中の浮遊菌を取り込んで除去することができる。
【００３６】
このようにして生成されたほぼ同数の正イオンと負イオンを含んだ空気を、循環吹出口２８より浴室２内へと送出することによって、循環する空気に含まれる浮遊菌や、浴室２内の浮遊菌を除去することができ、カビなどの発生を抑制することが可能となる。
【００３７】
換気空調ユニット４０は、図４に示すように、本体ケース３の上部に設置される換気ファン部４１と、回路基板部４２とにより構成されている。
【００３８】
換気ファン部４１は、換気シロッコファン（回転ファン）４３と、換気ファンモータ（ファンモータ）４４と、換気ファンケース４５とを有している。換気シロッコファン４３は、循環シロッコファン２３と同様に、主板４３ａの周縁部に多数の翼４３ｂが設けられる多翼ファンであり、この換気シロッコファン４３の回転によって、吸気ダクト７や換気用通路部２２を介して導かれた空気を、換気ファン部４１の内部へと導くことが可能となっている。
【００３９】
換気ファンモータ４４は、換気シロッコファン４３を回転駆動させるためのモータであり、図４に示すように、換気シロッコファン４３の上方に設置されている。この換気ファンモータ４４より真下方向へと垂設される回転軸を回転させることによって、この回転軸に固定される換気シロッコファン４３の回転が行われる。
【００４０】
換気ファンケース４５は、換気シロッコファン４３を収納するケースであって、換気シロッコファン４３により吸い込まれた空気を、排気ダクト接続部６・排気ダクト５を介して屋外へと排出させるための案内風路を形成する役割を有している。換気ファンケース４５の底面であって、換気シロッコファン４３の主板４３ａを臨む位置には、図４に示すように、空気を吸入するための円形状の換気吸込口４６が形成されている。
【００４１】
なお、換気吸込口４６は、換気用通路部２２の上面開口２２ｂを正面に臨む位置に設けられており、換気用通路部２２を介して浴室２の空気を換気ファン部４１へと円滑に導くことが可能となっている。また、換気ファンケース４５の側部には排気ダクト接続部６へと連通する換気排気口４７が設けられており、換気シロッコファン４３により吸入された空気は、換気排気口４７から排気ダクト接続部６・排気ダクト５を介して屋外へと排気される構造となっている。
【００４２】
回路基板部４２は、換気ファン部４１の吸気ダクト接続部８側に隣接設置されている。回路基板部４２には、浴室空調装置１の循環ファンモータ２４、ヒータ部２６、換気ファンモータ４４、イオン発生装置３１の制御を行うための制御部（制御手段）５０（図６参照）等が設けられている。
【００４３】
換気空調ユニット４０と循環空調ユニット２０とが本体ケース３に収納設置されると、図４に示すように、換気ファン部４１が換気用通路部２２の上方に位置するように設けられると共に、循環ファン部２１が換気ファン部４１との間に高さＬの隙間ができるようにして設置される。循環ファン部２１が換気ファン部４１との間にＬの隙間を保って設置されるので、換気ファン部４１は、吸気ダクト７・吸気ダクト接続部８を介して本体ケース３へと導かれた空気と、浴室２より換気用通路部２２を介して導かれる空気とを吸入することが可能な構造となっている（図４に示す鎖線矢印参照）。
【００４４】
図６は、回路基板部４２に設けられる制御部５０の制御構成を示したブロック図である。制御部５０は、ＣＰＵ（Central Processing Unit）やメモリ等で構成されており、制御部５０には、操作パネル１３で選択された運転モード情報が伝達されると共に、湿度・温度検出センサ３０により検出された相対湿度および温度が伝達される。
【００４５】
また、制御部５０には、循環ファンモータ２４、換気ファンモータ４４、ヒータ部２６、イオン発生装置３１等が接続されており、制御部５０により循環ファンモータ２４、換気ファンモータ４４、ヒータ部２６、イオン発生装置３１の制御が行われる。さらに、制御部５０には、湿度・温度検出センサ３０により定期的に検出・伝達される温度、相対湿度およびその絶対湿度を経時的に記録する記録部５１が接続されており、制御部５０は、循環ファンモータ２４、換気ファンモータ４４、ヒータ部２６、イオン発生装置３１等の制御を行う場合に、必要に応じて記録部５１のデータを利用する。
【００４６】
図７は、操作パネル１３の一例を示した図である。操作パネル１３は、ＬＥＤやＬＣＤなどの表示部８０と、各種操作ボタン等とを備えている。操作ボタンとして、例えば、常時換気を行う２４時間換気モードボタン８１、暖房運転モードを選択する暖房モードボタン８２、涼風運転モードを選択する涼風モードボタン８３と、換気運転モードを選択する換気モードボタン８４、衣類乾燥運転モードを選択する衣類乾燥モードボタン８５、浴室乾燥運転モードを選択する浴室乾燥モードボタン９０、浴室空調装置１における各種運転モードの停止を行う停止ボタン７９が設けられる。
【００４７】
また、操作パネル１３には、選択した運転モードをユーザが確認できるように、例えば各ボタンに対応してランプ８６が設けられており、例えば、暖房モードボタン８２が押下された場合には、暖房モードボタン８２の上部のランプ８６が点灯することとなる。
【００４８】
操作パネル１３には、タイマボタン８７が設けられており、操作パネル１３によって運転モードが選択・実行された後に、タイマボタン８７を押下することによって、所定時間後（タイマ時間後）に選択・実行された運転モードを終了させることができる。
【００４９】
また、操作パネル１３には、除菌ボタン８８が設けられており、この除菌ボタン押下することによってイオン発生装置３１より正イオン・負イオンが放出され、浴室２へと吹き出される空気に正イオン・負イオンが含まれることとなる。
【００５０】
さらに、操作パネル１３には、オートストップボタン８９が設けられている。操作パネル１３によって換気運転モード又は浴室乾燥運転モードが選択され、さらにオートストップボタン８９が押下された場合には、後述するオートストップモードによる換気運転モード又は浴室乾燥運転モードに基づいて浴室空調装置１の制御が行われる。なお、オートストップボタン８９とタイマボタン８７とを押下することによって、換気運転モードおよび浴室乾燥運転モードにおいてはタイマモードによる所定時間経過後の運転停止制御とオートストップモードによる運転停止制御とを併用することが可能である。
【００５１】
次に、ユーザが、暖房モードボタン８２、涼風モードボタン８３、換気モードボタン８４、衣類乾燥モードボタン８５、浴室乾燥モードボタン９０のいずれかを押下した場合について説明する。まず、ユーザが各種ボタン８２〜８５、９０を押下することによって、操作パネル１３の電源が入り、上述した各種運転モードの選択を行うことが可能となる。
【００５２】
＜暖房モードボタンを押下した場合＞
ユーザが暖房モードボタン８２を押下して、暖房運転モードを選択すると、制御部５０では暖房運転モードの運転モード情報を操作パネル１３より取得し、循環ファンモータ２４とヒータ部２６とに対して制御信号を送出する。制御部５０の制御信号に基づいて循環ファンモータ２４の駆動が開始されると、フロントパネル４のパネル吸込口４ａを通して、循環ファン部２１の循環吸込口２７から浴室２内の空気が循環ファンケース２５内に吸い込まれ、循環ファンケース２５のヒータ部２６へと案内される。
【００５３】
ヒータ部２６では、制御部５０の制御信号に基づいてヒータ部２６のＰＣＴヒータが通電されるため、ヒータ部２６へと導かれた循環ファンケース２５内の空気が、ヒータ部２６で暖められてから循環吹出口２８およびパネル吹出口４ｂを介して浴室２内に吹き出される。この温風の吹き出しにより浴室２内の暖房が行われることとなる。
【００５４】
このように、暖房運転モードで浴室空調装置１が駆動されることによって、入浴前に浴室を暖めておくことができ、また入浴中においても浴室２を暖かく保つことができる。
【００５５】
なお、暖房運転モードでは、制御部５０より換気ファンモータ４４に対して制御信号が送出されない。暖房運転モードでは換気ファンモータ４４が駆動されず、浴室２内の空気が屋外へと換気されることがないので、循環ファン部２１のヒータ部２６により暖められた空気を浴室２内に維持することが可能となる。
【００５６】
また、タイマボタン８７が押下された場合には、ボタン押下から所定時間経過後に、循環ファンモータ２４、ヒータ部２６の駆動が停止されて暖房運転モードが終了する。
【００５７】
さらに、暖房運転モードでは除菌ボタン８８が押下された場合であっても、イオン発生装置３１は稼働されず、浴室２内に正イオン・負イオンを含んだ空気を送出することがない。これは、ヒータ部２６の稼働により、正イオン・負イオンを含んだ空気を浴室２に送出しても十分なカビ抑制効果を得ることができないためである。
【００５８】
ただし、ヒータ部２６が停止した後に一定時間だけイオン発生装置３１と循環ファンモータ２４とが駆動する構成とすることも可能である。ヒータ部２６が停止した後であれば、正イオン・負イオンを含んだ空気を浴室２に送出することによって効果的にカビの発生を抑制することができるためである。
【００５９】
＜涼風モードボタンを押下した場合＞
ユーザが涼風モードボタン８３を押下して、涼風運転モードを選択すると、制御部５０では涼風運転モードの運転モード情報を操作パネル１３より取得し、循環ファンモータ２４に対して制御信号を送出する。制御部５０の制御信号に基づいて循環ファンモータ２４の駆動が開始されると、フロントパネル４のパネル吸込口４ａを通して、循環ファン部２１の循環吸込口２７から浴室２内の空気が循環ファンケース２５内に吸い込まれ、循環ファンケース２５のヒータ部２６へと案内される。
【００６０】
ここで、涼風運転モードにおいては、制御部５０よりヒータ部２６に対して制御信号が送出されないので、ＰＣＴヒータの通電は行われない。このため、ヒータ部２６へと導かれた循環ファンケース２５内の空気は、ヒータ部２６で暖められることなく、循環吹出口２８およびパネル吹出口４ｂを介して浴室２内に吹き出される。
【００６１】
一方で、制御部５０は、換気ファンモータ４４に対して制御信号を送出する。このため換気ファンモータ４４が駆動されて換気シロッコファンが回転されるので、浴室２の空気が換気吸込口４６を介して換気ファンケース４５内に吸い込まれ、排気ダクト接続部６・排気ダクト５を介して屋外へと空気が排出される。
【００６２】
このように、循環空調ユニット２０により吸入された空気が暖められることなく浴室２内に吹き出されるので、夏場等に浴室空調装置１を扇風機のように使用することができる。また、換気空調ユニット４０により浴室２内の空気が屋外に排気されることとなるので、涼風運転モードでは、循環換気運転が行われることとなる。
【００６３】
なお、タイマボタン８７が押下された場合には、ボタン押下から所定時間経過後に、循環ファンモータ２４、換気ファンモータ４４の駆動が停止されて涼風運転モードが終了する。
【００６４】
さらに、除菌ボタン８８が押下された場合には、循環ファンモータ２４の駆動に連動してイオン発生装置３１を稼働させて、浴室内に正イオン・負イオンを含んだ空気を送出する。このように、イオン発生装置３１を稼働させることによって、正イオン・負イオンを含んだ空気を浴室２内に吹き出させることができ、効果的にカビの発生を抑制することが可能となる。
【００６５】
＜換気モードボタンを押下した場合（オートストップボタンの押下無し）＞
ユーザが換気モードボタン８４を押下して、換気運転モードを選択すると、制御部５０では換気運転モードの運転モード情報を操作パネル１３より取得し、換気ファンモータ４４に対して制御信号を送出する。制御部５０の制御信号に基づいて換気ファンモータ４４の駆動が開始されると、吸気ダクト７および換気用通路部２２を介して吸入される浴室２および洗面所１０の空気が換気ファンケース４５内に吸い込まれ、排気ダクト接続部６・排気ダクト５を介して屋外へと空気が排出される。
【００６６】
このように、換気運転モードが選択された場合には、浴室２および洗面所１０の空気が屋外へと排出されるので、浴室および洗面所の換気を積極的に行うことができる。なお、換気運転モードにおいては、制御部５０は、換気ファンモータ４４を動作させて循環ファンモータ２４およびヒータ部２６に対する制御信号を送出せず、循環ファンモータ２４およびヒータ部２６は停止された状態となる。換気運転モードでは、このように換気ファンモータ４４のみが動作する運転モードを説明したが、循環ファンモータ２４も同時に動作させる循環換気運転モードにより動作を行うようにしてもよい。
【００６７】
また、タイマボタン８７が押下された場合には、ボタン押下から所定時間経過後に、換気ファンモータ４４の駆動が停止されて換気運転モードが終了する。
【００６８】
なお、除菌ボタン８８が押下された場合には、換気ファンモータ４４の駆動に連動させて、循環ファンモータ２４とイオン発生装置３１とを稼働させ、浴室内に正イオン・負イオンを含んだ空気を送出する。このように、イオン発生装置３１を稼働させることによって、正イオン・負イオンを含んだ空気を浴室２内に吹き出させることができ、効果的にカビの発生を抑制することが可能となる。
【００６９】
なお、今日の住宅においては法規上、屋内の空気を所定の換気回数（例えば０．５回／時）だけ換気する２４時間換気が義務付けられているため、操作パネル１３により運転モードの選択等がされていない場合であっても、２４時間換気モードボタン８１が押下されている場合には、換気ファンモータ４４が連続的または断続的に駆動され、浴室２および他室の空気が屋外へと排出されることとなる（このような換気モードを２４時間換気モードという）。
【００７０】
＜衣類乾燥モードボタンを押下した場合、浴室乾燥運転モードボタンが押下した場合（オートストップボタンの押下なし）、＞
ユーザが衣類乾燥モードボタン８５だけ押下して衣類乾燥運転モードを選択すると、制御部５０では衣類乾燥運転モードの運転モード情報を操作パネル１３より取得し、循環ファンモータ２４とヒータ部２６とに対して制御信号を送出する。制御部５０の制御信号に基づいて循環ファンモータ２４の駆動が開始されると、パネル吸込口４ａ・循環吸込口２７を介して浴室２内の空気が循環ファンケース２５内に吸い込まれ、循環ファンケース２５のヒータ部２６へと案内される。
【００７１】
ヒータ部２６では、制御部５０の制御信号に基づいてＰＣＴヒータの通電が行われるため、ヒータ部２６へと導かれた循環ファンケース２５内の空気はヒータ部２６で暖められ、循環吹出口２８およびパネル吹出口４ｂを介して浴室２内に吹き出される。この温風の吹き出しにより浴室２内の暖房が行われることとなる。
【００７２】
さらに、衣類乾燥運転モードにおいては、制御部５０が換気ファンモータ４４に対して制御信号を送出する。制御部５０の制御信号に基づいて換気ファンモータ４４の駆動が開始されると、パネル吸込口４ａ・換気用通路部２２を通して浴室２内の空気が換気ファンケース４５内へと吸い込まれると共に、吸気ダクト７・吸気ダクト接続部８を介して洗面所の空気が換気ファンケース４５内に吸い込まれ、その後、排気ダクト接続部６・排気ダクト５を通って屋外へと空気が排出される。
【００７３】
このように、循環空調ユニット２０によって浴室２内の空気を暖めることができると共に、換気空調ユニット４０により浴室２内の空気が屋外へ排出されて浴室２内の換気が行われるので、図１に示すように、浴室２内に設置されるランドリーパイプ１６に洗濯物１７を吊して、洗濯物１７の乾燥を行うことが可能となる。
【００７４】
上述したようにして、ユーザにより衣類乾燥運転モードが選択されることによって、循環ファンモータ２４、換気ファンモータ４４、ヒータ部２６等が駆動されて、浴室２および洗面所１０の換気等が行われる。
【００７５】
なお、ユーザにより浴室乾燥運転モードボタン９０が押下されて（オートストップボタン８９の押下なし）、浴室乾燥運転モードが選択された場合には、上述した衣類乾燥運転モードにおいてヒータ部２６の通電がない状態での換気運転が行われる。このため、循環空調ユニット２０により浴室２内の空気が循環されつつ、換気空調ユニット４０により浴室２内の空気が屋外に排気されることとなるので、浴室内の換気を効率よく行うことが可能となる。
【００７６】
なお、タイマボタン８７が押下された場合には、ボタン押下から所定時間経過後に、循環ファンモータ２４、ヒータ部２６、換気ファンモータ４４の駆動が停止されて乾燥運転モードが終了する。
【００７７】
さらに、除菌ボタン８８が押下された場合には、衣類乾燥運転モード又は浴室乾燥運転モードによる運転が終了した後に、所定時間だけ循環ファンモータ２４とイオン発生装置３１とを運転させて、浴室内に正イオン・負イオンを含んだ空気を送出する。このように、乾燥モードによる運転が終了した後にイオン発生装置３１を稼働させることによって、ヒータ部２６の駆動によるカビ抑制効果の低減を避けることができ、正イオン・負イオンを含んだ空気の送出によるカビの発生を抑制することが可能となる。
【００７８】
次に、オートストップボタン８９が押下された場合における、浴室空調装置の換気運転モードおよび浴室乾燥運転モードについて説明する。
【００７９】
＜換気モードボタンを押下した場合（オートストップボタンの押下あり）＞
図８は、オートストップモードにおいて換気運転モードで浴室空調装置が運転される場合における、制御部５０の処理を示したフローチャートである。
【００８０】
ユーザがオートストップボタン８９を押下し、さらに換気モードボタン８４を押下して換気運転モードを選択すると、制御部５０は、換気運転モードの運転モード情報とオートストップモードの運転モード情報とを操作パネル１３より取得する（ステップＳ．１）。そして、制御部５０は、記録部５１に記録された浴室２の相対湿度と温度との経時的なデータより、浴室２が所定の条件を満たす状態（所定状態、所定の使用状態）となったときの時間（基準時間）を求める（ステップＳ．２）。例えば、図９に示すように、浴室２内の温度がその所定時間前、例えば３０分前（時間Ｔ１）の温度よりも所定温度以上、例えば５度以上上昇している時間であって、さらに、浴室２の相対湿度が所定湿度、例えば９０％以上を示す時間を基準時間Ｔ２として求める。
【００８１】
なお、この所定状態（所定の条件を満たす状態）とは、必ずしも浴室の温度が３０分前の温度よりも５度以上上昇し、かつ相対湿度が９０％の場合のみが該当する（限定される）ものではなく、例えば、浴室２の照明がＯＮにされた場合や、浴室ドア１４の開閉が行われた場合等を基準として所定状態になったものと判断してもよい。
【００８２】
このような所定状態の基準時間Ｔ２を求めることによって、制御部５０は浴室２が結露状態となったこと、又は結露状態となる行為が行われたこと（入浴が開始されること）を判断する。
また、制御部５０は、基準時間Ｔ２の所定時間前、例えば１時間前（時間Ｔ０）における相対湿度情報に基づいて、時間Ｔ０における絶対湿度（基準絶対湿度）Ｈ０の算出を行う（ステップＳ．３）。一般に相対湿度は、
相対湿度Ｕ［％］＝水蒸気量Ｈ［ｇ／ｋｇ］／飽和水蒸気量［ｇ／ｋｇ］×１００
で表されるため、絶対湿度は、
絶対湿度Ｈ０［ｇ／ｋｇ］＝水蒸気量Ｈ［ｇ／ｋｇ］
＝相対湿度Ｕ［％］×飽和水蒸気量［ｇ／ｋｇ］／１００
で求めることができる。
【００８３】
制御部５０は、求められた絶対湿度Ｈ０の所定の倍数値、例えば１．３倍の値を絶対湿度Ｈｔとして算出する（ステップＳ．４）。なお、本実施例では基準時間Ｔ２における絶対湿度Ｈ０の１．３倍の値を絶対湿度Ｈｔとするが、絶対湿度Ｈｔはこの値に限定されるものではなく、例えば２４時間以内に検出された湿度のうち、絶対湿度値が最低となる湿度に基づいて絶対湿度Ｈ０を算出し、この絶対温度Ｈ０の１．３倍の値を絶対湿度Ｈｔとしてもよい。また、絶対湿度Ｈｔは、絶対温度Ｈ０の１．３倍の湿度値には限定されず、１．３倍以下であっても１．３倍以上であってもよい。
【００８４】
その後、制御部５０は、ステップＳ．１で取得した換気運転モードの運転モード情報に基づいて、換気ファンモータ４４に対して制御信号を送出する（ステップＳ．５）。制御部５０の制御信号に基づいて換気ファンモータ４４の駆動が開始されると、吸気ダクト７および換気用通路部２２を介して吸入される浴室２および洗面所１０の空気が換気ファンケース４５内に吸い込まれ、排気ダクト接続部６・排気ダクト５を介して屋外へと空気が排出される。
【００８５】
このように、換気運転モードが選択された場合には、浴室２および洗面所１０の空気が屋外へと排出されるので、浴室および洗面所の換気を積極的に行うことができる。なお、換気運転モードにおいては、制御部５０は、循環ファンモータ２４およびヒータ部２６に対する制御信号を送出せず、循環ファンモータ２４およびヒータ部２６は停止された状態となる。
【００８６】
その後、制御部５０は、基準時間Ｔ２からの経過時間を算出して、基準時間Ｔ２から現在の時間Ｔｕまでの経過時間が第１の所定時間以上、例えば４時間以上であるか否かを判断する（ステップＳ．６）。第１の所定時間以上経過している場合（ステップＳ．６でＹｅｓの場合）、制御部５０は、換気ファンモータ４４の動作を停止させ（ステップＳ．７）、換気運転モードを終了する。
【００８７】
制御部５０は、浴室２の絶対湿度Ｈｕが絶対湿度Ｈｔ以下にならない場合であっても４時間連続して換気運転モードが続いた場合には、換気ファンモータ４４の運転を自動的に停止することによって、換気運転モードが長時間続くことを防止する。
【００８８】
基準時間Ｔ２から現在の時間Ｔｕまでの経過時間が第１の所定時間以上でない場合（ステップＳ．６でＮｏの場合）、制御部５０は、現在の絶対湿度Ｈｕが絶対湿度Ｈｔ以下となっているか否かの判断を行う（ステップＳ．８）。
【００８９】
現在の絶対温度Ｈｕが絶対湿度Ｈｔ以上である場合（ステップＳ．８でＮｏの場合）、制御部５０は、処理をステップＳ．６へと戻して、ステップＳ．６以降の処理を繰り返し実行する。
【００９０】
一方で、現在の絶対温度Ｈｕが絶対湿度Ｈｔ以下である場合（ステップＳ．８でＹｅｓの場合）、制御部５０は、基準時間Ｔ２からの経過時間を算出して、基準時間Ｔ２から現在の時間Ｔｕまでの経過時間が第２の所定時間以上、例えば２時間以上であるか否かを判断する（ステップＳ．９）。２時間以上経過している場合（ステップＳ．９でＹｅｓの場合）、制御部５０は、換気ファンモータ４４の動作を停止させ（ステップＳ．７）、換気運転モードを終了する。
【００９１】
基準時間Ｔ２から現在の時間Ｔｕまでの経過時間が第２の所定時間以上でない場合（ステップＳ．９でＮｏの場合）、制御部５０は、処理をステップＳ．６へと戻して、ステップＳ．６以降の処理を繰り返し実行する。
【００９２】
このように、浴室２の絶対湿度Ｈｕが絶対湿度Ｈｔ以下となった場合であっても第２の所定時間以上連続して換気運転モードが行われていない場合には、換気ファンモータ４４を駆動させ続けることによって十分な浴室２の換気を実現することが可能となる。
【００９３】
なお、浴室２の絶対湿度Ｈｕが絶対湿度Ｈｔ以下となった場合であっても第２の所定時間以上連続して換気運転モードが行われていない場合には、絶対湿度Ｈｔを絶対湿度Ｈ０に変更した上で、上記処理を繰り返し実行するようにしてもよい。このように絶対湿度Ｈｔを絶対湿度Ｈ０に変更することによって、入浴が行われる所定時間前、例えば１時間前の絶対湿度Ｈ０より絶対湿度Ｈｕが低下するまで換気処理を続けることができるので、浴室２の換気を十分に行うことができる。
【００９４】
さらに、上述した換気運転モードでは、制御部５０が、基準時間Ｔ２から現在の時間Ｔｕまでの経過時間が第１の所定時間以上経過しているか否か（ステップＳ．６）を判断し、また、制御部５０が、基準時間Ｔ２から現在の時間Ｔｕまでの経過時間が第２の所定時間以上経過しているか否か（ステップＳ．９）を判断する処理方法について説明を行ったが、換気運転モードにおいてこの判断処理（ステップＳ．６、ステップＳ．９）のどちらか一方、または両方の判断処理を行わないようにしてもよい。
【００９５】
以上説明したように、絶対湿度Ｈｕに基づいて換気運転モードの継続／停止制御を行うことによって、浴室の温度変化に左右されることなく浴室内の結露状態（湿気状態）を検出することができ、換気運転モードによる運転がまだ必要な状態であるか、終了しても良い状態であるかを定量的に判断することが可能となる。
【００９６】
なお、タイマボタン８７が押下された場合には、ボタン押下から所定時間経過後に、換気ファンモータ４４の駆動が停止されて換気運転モードが終了する。この場合には、浴室２の絶対湿度Ｈｕが絶対湿度Ｈｔ以下であるか否かに拘わらずに、換気ファンモータ４４の運転を終了させることができる。
【００９７】
また、除菌ボタン８８が押下された場合には、換気ファンモータ４４の駆動に連動させて、循環ファンモータ２４とイオン発生装置３１とを稼働させ、浴室２内に正イオン・負イオンを含んだ空気を送出する。このように、イオン発生装置３１を稼働させることによって、正イオン・負イオンを含んだ空気を浴室２内に吹き出すことができ、効果的にカビの発生を抑制することが可能となる。
【００９８】
＜浴室乾燥モードボタンを押下した場合（オートストップボタンの押下あり）＞
図１０は、オートストップモードにおいて浴室乾燥運転モードで浴室空調装置１が運転される場合の、制御部５０の処理を示したフローチャートである。
【００９９】
ユーザがオートストップボタン８９を押下し、さらに浴室乾燥モードボタン９０を押下して、浴室乾燥運転モードを選択すると、制御部５０は、浴室乾燥運転モードの運転モード情報とオートストップモードの運転モード情報とを操作パネル１３より取得する（ステップＳ．２１）。そして、制御部５０は、記録部５１に記録された浴室２の相対湿度と温度との経時的なデータより、浴室２が所定の条件を満たす状態（所定状態）となったときの基準時間Ｔ２を求める。（ステップＳ．２２）。このような所定状態の基準時間Ｔ２を求めることによって、制御部５０は浴室２が結露状態となったこと、又は結露状態となる行為が行われたこと（洗濯物１７が浴室２内に干されたこと）を判断する。
【０１００】
また、制御部５０は、基準時間Ｔ２の所定時間前、例えば１時間前（時間Ｔ０）における相対湿度情報に基づいて、絶対湿度Ｈ０の算出を行い（ステップＳ．２３）、求められた時間Ｔ０における絶対湿度Ｈ０の所定の倍数値、例えば１．３倍の値を絶対湿度Ｈｔとして算出する（ステップＳ．２４）。
【０１０１】
その後、制御部５０は、ステップＳ．２１で取得された浴室乾燥運転モードの運転モード情報に基づいて、循環ファンモータ２４に対して制御信号を送出する（ステップＳ．２５）。制御部５０の制御信号に基づいて循環ファンモータ２４の駆動が開始されると、パネル吸込口４ａ・循環吸込口２７を介して浴室２内の空気が循環ファンケース２５内に吸い込まれ、循環ファンケース２５のヒータ部２６へと案内される。
【０１０２】
ヒータ部２６では、制御部５０の制御信号に基づいてＰＣＴヒータの通電が行われないため、ヒータ部２６へと導かれた循環ファンケース２５内の空気は、ヒータ部２６で暖められることなく、循環吹出口２８およびパネル吹出口４ｂを介して浴室２内に吹き出される。
【０１０３】
さらに、浴室乾燥運転モードにおいては、制御部５０が換気ファンモータ４４に対して制御信号を送出する（ステップＳ．２５）。制御部５０の制御信号に基づいて換気ファンモータ４４の駆動が開始されると、パネル吸込口４ａ・換気用通路部２２を通して浴室２内の空気が換気ファンケース４５内へと吸い込まれると共に、吸気ダクト７・吸気ダクト接続部８を介して洗面所１０の空気が換気ファンケース４５内に吸い込まれ、その後、排気ダクト接続部６・排気ダクト５を通って屋外へと空気が排出される。
【０１０４】
上述したようにして、ユーザにより浴室乾燥運転モードが選択されることによって、循環ファンモータ２４、換気ファンモータ４４等が駆動されて浴室２内の空気が屋外へ排出されるので、浴室２内を効率よく乾燥させることが可能となる。
【０１０５】
その後、制御部５０は、基準時間Ｔ２からの経過時間を算出して、基準時間Ｔ２から現在の時間Ｔｕまでの経過時間が第１の所定時間（例えば４時間）以上でないか否かを判断する（ステップＳ．２６）。第１の所定時間以上経過している場合（ステップＳ．２６でＹｅｓの場合）、制御部５０は、循環ファンモータ２４、換気ファンモータ４４の動作を停止させ（ステップＳ．２７）、浴室乾燥運転モードを終了する。
【０１０６】
制御部５０は、浴室２の絶対湿度Ｈｕが絶対湿度Ｈｔ以下にならない場合であっても第１の所定時間連続して浴室乾燥運転モードが続いた場合には、自動的に循環ファンモータ２４、換気ファンモータ４４の動作を停止させることによって、浴室乾燥運転モードが長時間続くことを防止する。
【０１０７】
基準時間Ｔ２から現在の時間Ｔｕまでの経過時間が第１の所定時間以上でいない場合（ステップＳ．２６でＮｏの場合）、制御部５０は、現在の絶対湿度Ｈｕが絶対湿度Ｈｔ以下となっているか否かの判断を行う（ステップＳ．２８）。
【０１０８】
現在の絶対温度Ｈｕが絶対湿度Ｈｔ以上である場合（ステップＳ．２８でＮｏの場合）、制御部５０は、処理をステップＳ．２６へと戻して、ステップＳ．２６以降の処理を繰り返し実行する。
【０１０９】
一方で、現在の絶対温度Ｈｕが絶対湿度Ｈｔ以下である場合（ステップＳ．２８でＹｅｓの場合）、制御部５０は、基準時間Ｔ２からの経過時間を算出して、基準時間Ｔ２から現在の時間Ｔｕまでの経過時間が第２の所定時間以上（例えば２時間以上）であるか否かを判断する（ステップＳ．２９）。第２の所定時間以上経過している場合（ステップＳ．２９でＹｅｓの場合）、制御部５０は、循環ファンモータ２４、換気ファンモータ４４の動作を停止させ（ステップＳ．２７）、浴室乾燥運転モードを終了する。
【０１１０】
基準時間Ｔ２から現在の時間Ｔｕまでの経過時間が第２の所定時間以上でない場合（ステップＳ．２９でＮｏの場合）、制御部５０は、処理をステップＳ．２６へと戻して、ステップＳ．２６以降の処理を繰り返し実行する。
【０１１１】
このように、浴室２の絶対湿度Ｈｕが絶対湿度Ｈｔ以下となった場合であっても第２の所定時間以上連続して乾燥運転モードが続いていない場合には、引き続き循環ファンモータ２４、換気ファンモータ４４を動作させて浴室乾燥運転モードを継続することによって、浴室２の乾燥を十分に行うことが可能となる。
【０１１２】
なお、浴室２の絶対湿度Ｈｕが絶対湿度Ｈｔ以下となった場合であっても第２の所定時間以上連続して浴室乾燥運転モードが続いていない場合には、絶対湿度Ｈｔを絶対湿度Ｈ０に変更した上で、上記処理を繰り返し実行するようにしてもよい。このように絶対湿度Ｈｔを絶対湿度Ｈ０に変更することによって、入浴前の浴室２内における絶対湿度Ｈ０に絶対湿度Ｈｕが低下するまで乾燥処理を続けることができるので、十分に浴室２の乾燥を行うことが可能となる。
【０１１３】
さらに、上述した浴室乾燥運転モードでは、制御部５０が、基準時間Ｔ２から現在の時間Ｔｕまでの経過時間が第１の所定時間以上経過しているか否か（ステップＳ．２６）を判断し、また、制御部５０が、基準時間Ｔ２から現在の時間Ｔｕまでの経過時間が第２の所定時間以上経過しているか否か（ステップＳ．２９）を判断する処理方法について説明を行ったが、浴室乾燥運転モードにおいてこの判断処理（ステップＳ．２６、ステップＳ．２９）のどちらか一方、または両方の判断処理を行わないようにしてもよい。
【０１１４】
以上説明したように、絶対湿度Ｈｕに基づいて浴室乾燥運転モードの継続／停止制御を行うことによって、浴室２の温度変化に左右されることなく浴室内の湿気状態（結露状態）を検出することができ、浴室乾燥運転モードによる運転がまだ必要な状態であるか、終了しても良い状態であるかを定量的に判断することが可能となる。
【０１１５】
なお、タイマボタン８７が押下された場合には、ボタン押下から所定時間経過後に、循環ファンモータ２４、換気ファンモータ４４の駆動が停止されて浴室乾燥運転モードによる運転が終了する。この場合には、浴室２の絶対湿度Ｈｕが絶対湿度Ｈｔ以下であるか否かに拘わらずに、浴室空調装置１の運転を終了させることができる。なお、浴室乾燥運転モードにおいて、ヒータ部２６を常時又は所定時間に動作させる構成としてもよい。
【０１１６】
また、除菌ボタン８８が押下された場合には、浴室乾燥運転モードによる運転が終了した後に、所定時間だけ循環ファンモータ２４とイオン発生装置３１とを運転させて、浴室２内に正イオン・負イオンを含んだ空気を送出する。このように、浴室乾燥モードによる運転が終了した後にイオン発生装置３１を稼働させて、正イオン・負イオンを含んだ空気を送出によって効果的にカビの発生を抑制することが可能となる。
【０１１７】
以上説明したように、本発明に係る浴室空調装置１では、オートストップモードにおいて、浴室２の絶対湿度Ｈｕに基づいて浴室２の結露状態（湿気状態）を判断し、絶対湿度Ｈｕが入浴前や洗濯物１７を浴室２に干す前の状態まで下がったことにより浴室空調装置１の換気運転モードおよび浴室乾燥運転モードを終了する。このように絶対湿度Ｈｕを求めることによって浴室２の水蒸気量を定量的に検出することができ、相対湿度のように浴室２の温度に左右されることなく浴室２の結露状態（湿気状態）を判断することができるので、季節（春夏秋冬等）や時間帯（朝昼晩等）に拘わらず、浴室空調装置１の運転・停止制御を好適に行うことができる。
【０１１８】
特に、浴室２内の温度上昇と相対湿度値とにより浴室２の結露状態を判断し、この結露状態となる所定時間前の浴室２の絶対湿度Ｈ０に基づいて浴室空調装置１の運転停止を行う基準となる絶対湿度Ｈｔを求めて用いることによって、浴室が結露状態となる前の絶対湿度を基準として浴室空調装置１の運転制御を行うことができる。
【０１１９】
また、浴室２の照明が点灯された時点や浴室ドア１４が開閉された時点より所定時間前の浴室２の絶対湿度Ｈ０より絶対湿度Ｈｔを求めて用いる場合にも、同様にして、浴室が結露状態となる前の絶対湿度基準として浴室空調装置１の運転制御を行うことができる。
【０１２０】
特に、浴室の湿度を継続的にサンプリングして記録することによって、確実に絶対湿度Ｈｕを検出することができるので、浴室空調装置１の運転停止制御を高精度に行うことが可能となる。
【０１２１】
なお、本実施形態においては、絶対湿度Ｈ０を相対湿度Ｕに基づいて算出する場合について説明したが、絶対湿度を直接検出するものであってもよく、また、相対湿度Ｈ０や温度に基づいて絶対湿度を算出するもの等であってもよい。このように、絶対湿度Ｈ０の算出には、本実施例に記載された方法に限定されることなく種々の方法を用いて算出をおこなう場合が含まれる。
【０１２２】
以上、本発明に係る換気装置を、浴室空調装置を例として用いて詳細に説明したが、本発明に係る換気装置は上述した実施形態に限定されるものではない。いわゆる当業者であれば、特許請求の範囲に記載された範疇内において各種の変更例または修正例に想到し得ることは明らかであり、それらについても当然に本発明の技術的範囲に属するものと了解される。
【０１２３】
例えば、上述した浴室空調装置１では、循環ファン部２１と換気ファン部４１とを独立して設けたが、循環用のファンと換気用のファンとを単一のファンで構成し、風路切換手段であるダンパにより、循環風路と換気風路とを切り換え、または双方の風路に空気を送風できるように切り換える構造であってよい。
【０１２４】
さらに、上述した実施形態では、シロッコファンがファンモータとともにユニット化されたファンユニット（循環ファン部２１および換気ファン部４１）を用いた場合について説明を行ったが、ファンは必ずしもユニット化されたものに限定されるものではなく、ファン、モータ等が別体に構成されるものであってもよい。また、実施形態では、送風用のファンとしてシロッコファンを用いた場合について説明を行ったが、ファンは必ずしもシロッコファンに限定されるものではなく、ラジアルファンのような多翼ファンを用いるものであってもよい。
【０１２５】
上記実施形態では、洗面所１０の天井に設置された吸気口１１に吸気ダクト７が連結される構成を示して説明を行ったが、この吸気口１１は必ずしも洗面所１０に設置されるものに限定されるのではなく、他室等に設けられるものであってよい。
【０１２６】
また、上記実施形態においては、吸気ダクト７が本体ケース３に１本だけ連結された構成を示して説明を行ったが、吸気ダクト７は１本だけに限られるものではなく、本体ケース３の他の側面等に連結されて複数本設けられるものであってもよい。
【図面の簡単な説明】
【０１２７】
【図１】実施形態に係る浴室空調装置が浴室に設置される様子を示す側面図である。
【図２】実施形態に係る浴室空調装置を示す斜視図である。
【図３】実施形態に係る浴室空調装置の本体ケースおよび循環空調ユニットとを示す底面図である。
【図４】図３におけるＡ−Ａ断面を示す側面図である。
【図５】図３におけるＢ−Ｂ断面を示す側面図である。
【図６】実施形態に係る制御部の制御構成を示したブロック図である。
【図７】実施形態に係る操作パネルを示した図である。
【図８】実施形態に係る制御部の換気運転モードにおける処理を示したフローチャートである。
【図９】実施形態に係る浴室の湿度および温度の経時的変化状態を示したグラフである。
【図１０】実施形態に係る制御部の乾燥運転モードにおける処理を示したフローチャートである。
【符号の説明】
【０１２８】
１     …浴室空調装置
２     …浴室
２ａ   …天井パネル
３     …本体ケース
４     …フロントパネル
４ａ   …（フロントパネルの）パネル吸込口
４ｂ   …（フロントパネルの）パネル吹出口
５     …排気ダクト
６     …排気ダクト接続部
７     …吸気ダクト
８     …吸気ダクト接続部
１０   …洗面所
１１   …吸気口
１２   …排気グリル
１３   …操作パネル
１４   …浴室ドア
１５   …（浴室ドアの）ガラリ
１６   …ランドリーパイプ
１７   …洗濯物
２０   …循環空調ユニット
２１   …循環ファン部
２２   …換気用通路部
２２ａ  …（換気用通路部の）下面開口
２２ｂ  …（換気用通路部の）上面開口
２３   …循環シロッコファン
２３ａ  …（循環シロッコファンの）主板
２３ｂ  …（循環シロッコファンの）翼
２４   …循環ファンモータ
２５   …循環ファンケース
２６   …ヒータ部
２７   …（循環ファンケースの）循環吸込口
２８   …（循環ファンケースの）循環吹出口
３０   …湿度・温度検出センサ（湿度検出手段、温度検出手段）
３１   …イオン発生装置
４０   …換気空調ユニット
４１   …換気ファン部
４２   …回路基板部
４３   …換気シロッコファン（回転ファン）
４３ａ  …（換気シロッコファンの）主板
４３ｂ  …（換気シロッコファンの）翼
４４   …換気ファンモータ（ファンモータ）
４５   …換気ファンケース
４６   …（換気ファンケースの）換気吸込口
４７   …（換気ファンケースの）換気排気口
５０   …（回路基板部の）制御部（制御手段）
５１   …（回路基板部の）記録部（記録手段）
７９   …（操作パネルの）停止ボタン
８０   …（操作パネルの）表示部
８１   …（操作パネルの）２４時間換気モードボタン
８２   …（操作パネルの）暖房モードボタン
８３   …（操作パネルの）涼風モードボタン
８４   …（操作パネルの）換気モードボタン
８５   …（操作パネルの）衣類乾燥モードボタン
８６   …（操作パネルの）ランプ
８７   …（操作パネルの）タイマボタン
８８   …（操作パネルの）除菌ボタン
８９   …（操作パネルの）オートストップボタン
９０   …（操作パネルの）浴室乾燥モードボタン
【図１】
2008045757.tif 000003
【図２】
2008045757.tif 000004
【図３】
2008045757.tif 000005
【図４】
2008045757.tif 000006
【図５】
2008045757.tif 000007
【図６】
2008045757.tif 000008
【図７】
2008045757.tif 000009
【図８】
2008045757.tif 000010
【図９】
2008045757.tif 000011
【図１０】
2008045757.tif 000012